(57)【特許請求の範囲】
【請求項１】
施工面に取り付けられ少なくとも外部電源から電力の供給を受ける電源入力部と情報用の接続口とを有する本体モジュールと、前記本体モジュールに取り付けられ前記本体モジュールから電力の供給を受けるとともに前記本体モジュールを通して情報を授受する機能部を有し少なくとも前記機能部に情報を入力する情報入力手段と前記機能部からの情報を出力する情報出力手段との一方を有する機能パネルとを有する情報装置であって、
前記本体モジュールの前記機能パネルが取り付けられる面と前記機能パネルの前記本体モジュールに取り付ける面の一方に接触端子及び突起の先端側に行くに従い先細りとなる位置決め突起を有し、他方に前記接触端子と接続する相手側接触端子及び前記位置決め突起と嵌合する嵌合孔を有し、
前記機能パネルは、一端部が前記本体モジュールに結合され他端部が前記本体モジュールから離れるように傾斜した状態から、前記一端部を支点として前記本体モジュール側に回転することにより前記本体モジュールに取り付けられ、
前記機能パネルが前記支点回りで前記本体モジュール側に回転するのに伴い、先に前記位置決め突起と前記嵌合孔とが嵌合し、その後、前記接触端子と前記相手側接触端子とが接続されることを特徴とする情報装置。
【請求項２】
前記位置決め突起が本体モジュールの前記機能パネルが取り付けられる面に設けられ、前記嵌合孔が前記機能パネルの本体モジュールに取り付ける面に設けられることを特徴とする請求項１記載の情報装置。
【請求項３】
前記位置決め突起及び嵌合孔が複数であることを特徴とする請求項２記載の情報装置。
【請求項４】
前記位置決め突起が前記機能パネルの本体モジュールに取り付ける面に設けられ、前記嵌合孔が前記本体モジュールの前記機能パネルが取り付けられる面に設けられることを特徴とする請求項１記載の情報装置。
【請求項５】
前記位置決め突起及び前記嵌合孔が複数であることを特徴とする請求項４記載の情報装置。
【請求項６】
前記位置決め突起が前記本体モジュールの前記機能パネルが取り付けられる面及び前記機能パネルの本体モジュールに取り付ける面に設けられ、前記嵌合孔が前記本体モジュールの前記機能パネルが取り付けられる面及び前記機能パネルの本体モジュールに取り付ける面に設けられることを特徴とする請求項１記載の情報装置。
【請求項７】
複数種類の前記本体モジュールから選択した１つの前記本体モジュールに複数種類の前記機能パネルから選択した１つの前記機能パネルを取り付けることにより構成される情報装置において、情報装置として使用することができる前記本体モジュールと前記機能パネルとの組み合わせにおいては、前記位置決め突起は前記接触端子と前記相手側接触端子を対向させたときに前記前記嵌合孔と対向する位置に設けられ、情報装置として使用することができない前記本体モジュールと前記機能パネルとの組み合わせにおいては、前記位置決め突起は前記接触端子と前記相手側接触端子を対向させたときに前記嵌合孔と対向しない位置に設けられることを特徴とする請求項１記載の情報装置。
【発明の詳細な説明】
【技術分野】
【０００１】
本発明は、壁などの施工面に取り付けられ、種々の情報の提示、指示を行う情報装置に関するものである。
【０００２】
情報装置としては、宅外に設置された端末と通話等を行うインターホンや太陽光発電装置の動作状況等を監視する監視モニタ、ホームオートメーションを管理する管理システムといった情報装置が挙げられる。
【背景技術】
【０００３】
従来より、壁などの施工面に取り付けられる施工面設置型の情報装置は、施工面上に取り付ける構成のものと、施工面に形成した貫通孔に情報装置の一部を埋め込んで取り付ける構成のものとが知られている（例えば、特許文献１参照）。
【０００４】
また、情報装置の部品構成としては、機能を異とする種々の情報装置間における部品の共通化を図るため、種々の情報装置間に共通する部品例えば外部電源から電力の供給を受ける電源回路部、他機器と情報の送受信を行う通信部などを集約した本体モジュールと、機能により部品の形状などが異なる部品例えば表示部や入力スイッチなどを集約した機能パネルとで構成されるものが考案されている。
【０００５】
上述の本体モジュールと機能パネルの部品とに分割された構成の情報装置においては、作業の効率化及び部材数の削減のために、本体モジュールと機能パネルとの電気的接続を、本体モジュールに機能パネルを取り付ける作業と一体で行う構成が知られている（例えば、特許文献１参照）。具体的には、本体モジュールと機能パネルとの接続面のうち、本体モジュール側接続面に設けられた本体モジュール側接触端子と機能パネル側接続面に設けられた機能パネル側接触端子とを本体モジュールに機能パネルを取り付けたときに接続されるように配置することにより、本体モジュールに機能パネルを取り付ける作業と、本体モジュールと機能パネルとの電気的接続を行う作業を一体で行う構成である。
【特許文献１】特開平９−２８８４５６
【発明の開示】
【発明が解決しようとする課題】
【０００６】
ところで、上述したように本体モジュールと機能パネルとの電気的接続が本体モジュールに設けられた本体モジュール側接触端子と機能パネルに設けられた機能パネル側接触端子との接続により行われ、また、その接触端子同士の接続作業が機能パネルを本体モジュールに取り付ける作業と一体で行われる構成の情報装置においては、接触端子同士の接続が良好でない、具体的には、本体モジュールと機能パネルとの電気的接続が不通又は断続的に不通となり、本体モジュールから機能パネルへの電力供給がなされずに機能パネルの動作が不能となったり、本体モジュールから機能パネルへの情報の伝達が行われずに表示部への表示が不能となったり、逆に機能パネルの情報入力手段により入力した情報が本体モジュールに伝達されずに操作不能となるような接触端子同士の接続が起こる可能性がある。
【０００７】
このような接触端子同士の良好でない接続を引き起こす原因としては、本体モジュールに機能パネルを取り付ける際に接触端子と相手側接触端子とを正確に対向させて配置しなければならないという作業の困難さが挙げられる。
【０００８】
本発明は上記事由に鑑みて為されたものであり、その目的は、本体モジュールに機能パネルを取り付ける際に、接触端子と相手側接触端子とが対向位置に配置されることを容易にし、本体モジュールに設けられた接触端子と機能パネルに設けられた接触端子との接続が上記不具合を引き起こさないような良好な接続を行う情報装置を提供することにある。
【課題を解決するための手段】
【０００９】
請求項１の発明は、施工面に取り付けられ少なくとも外部電源から電力の供給を受ける電源入力部と情報用の接続口とを有する本体モジュールと、前記本体モジュールに取り付けられ前記本体モジュールから電力の供給を受けるとともに前記本体モジュールを通して情報を授受する機能部を有し少なくとも前記機能部に情報を入力する情報入力手段と前記機能部からの情報を出力する情報出力手段との一方を有する機能パネルとを有する情報装置であって、前記本体モジュールの前記機能パネルが取り付けられる面と前記機能パネルの前記本体モジュールに取り付ける面の一方に接触端子及び突起の先端側に行くに従い先細りとなる位置決め突起を有し、他方に前記接触端子と接続する相手側接触端子及び前記位置決め突起と嵌合する嵌合孔を有し、前記機能パネルは、一端部が前記本体モジュールに結合され他端部が前記本体モジュールから離れるように傾斜した状態から、前記一端部を支点として前記本体モジュール側に回転することにより前記本体モジュールに取り付けられ、前記機能パネルが前記支点回りで前記本体モジュール側に回転するのに伴い、先に前記位置決め突起と前記嵌合孔とが嵌合し、その後、前記接触端子と前記相手側接触端子とが接続されることを特徴とする。
【００１０】
この構成によれば、本体モジュールに機能パネルを取り付ける作業において、本体モジュールと機能パネルに設けた位置決め突起と嵌合孔とが嵌合し、次いで本体モジュールと機能パネルの接触端子と相手側接触端子が接続するので、位置決め突起と嵌合孔の嵌合により接触端子と相手側接触端子とが対向位置に配置され、その後接触端子と相手側接触端子との接続が行われることとなる。従って、接触端子同士を対向する位置に配置する作業が容易となり、本体モジュールと機能パネルとが電気的に良好に接続された情報装置を実現することが可能となる。
【００１１】
請求項２の発明は、請求項１の発明において、前記位置決め突起が本体モジュールの前記機能パネルが取り付けられる面に設けられ、前記嵌合孔が前記機能パネルの本体モジュールに取り付ける面に設けられることを特徴とする。
【００１２】
この構成によれば、本体モジュールに機能パネルを取り付ける作業において、本体モジュールに設けた位置決め突起と機能パネルに設けた嵌合孔とが嵌合し、次いで本体モジュールと機能パネルの接触端子と相手側接触端子が接続するので、位置決め突起と嵌合孔の嵌合により接触端子と相手側接触端子とが対向位置に配置され、その後接触端子と相手側接触端子との接続が行われることとなる。従って、接触端子同士を対向する位置に配置する作業が容易となり、本体モジュールと機能パネルとが電気的に良好に接続された情報装置を実現することが可能となる。
【００１３】
請求項３の発明は、請求項２の発明において、前記位置決め突起及び嵌合孔が複数であることを特徴とする。
【００１４】
この構成によれば、本体モジュールに機能パネルを取り付ける作業において、本体モジュール側の接続面に設けた複数の円錐台突起と機能パネル側の接続面に設けた複数の円錐台状孔とが各々嵌合し、次いで本体モジュールと機能パネルの接触端子と相手側接触端子が接続するので、複数の位置決め突起と複数の嵌合孔の嵌合により接触端子と相手側接触端子とが対向位置に配置され、その後接触端子と相手側接触端子との接続が行われることとなる。従って、接触端子同士を対向する位置に配置する作業が容易となり、本体モジュールと機能パネルとが電気的に良好に接続された情報装置を実現することが可能となる。
【００１５】
請求項４の発明は、請求項１の発明において、前記位置決め突起が前記機能パネルの本体モジュールに取り付ける面に設けられ、前記嵌合孔が前記本体モジュールの前記機能パネルが取り付けられる面に設けられることを特徴とする。
【００１６】
この構成によれば、本体モジュールに機能パネルを取り付ける作業において、機能パネルに設けた位置決め突起と本体モジュールに設けた嵌合孔とが嵌合し、次いで本体モジュールと機能パネルの接触端子と相手側接触端子が接続するので、位置決め突起と嵌合孔の嵌合により接触端子と相手側接触端子とが対向位置に配置され、その後接触端子と相手側接触端子との接続が行われることとなる。従って、接触端子同士を対向する位置に配置する作業が容易となり、本体モジュールと機能パネルとが電気的に良好に接続された情報装置を実現することが可能となる。
【００１７】
請求項５の発明は、請求項４の発明において、前記位置決め突起及び前記嵌合孔が複数であることを特徴とする。
【００１８】
この構成によれば、本体モジュールに機能パネルを取り付ける作業において、機能パネルに設けた複数の位置決め突起と本体モジュールに設けた複数の嵌合孔とが各々嵌合し、次いで本体モジュールと機能パネルの接触端子と相手側接触端子が接続するので、複数の位置決め突起と複数の嵌合孔の嵌合により接触端子と相手側接触端子とが対向位置に配置され、その後接触端子と相手側接触端子との接続が行われることとなる。従って、接触端子同士を対向する位置に配置する作業が容易となり、本体モジュールと機能パネルとが電気的に良好に接続された情報装置を実現することが可能となる。
【００１９】
請求項６の発明は、請求項１の発明において、前記位置決め突起が前記本体モジュールの前記機能パネルが取り付けられる面及び前記機能パネルの本体モジュールに取り付ける面に設けられ、前記嵌合孔が前記本体モジュールの前記機能パネルが取り付けられる面及び前記機能パネルの本体モジュールに取り付ける面に設けられることを特徴とする。
【００２０】
この構成によれば、本体モジュールに機能パネルを取り付ける作業において、本体モジュールに設けた位置決め突起と嵌合孔と機能パネルに設けた嵌合孔と位置決め突起とが各々嵌合し、次いで本体モジュールと機能パネルの接触端子と相手側接触端子が接続するので、位置決め突起と嵌位置孔の嵌合及び嵌合孔と位置決め突起との嵌合により接触端子と相手側接触端子とが対向位置に配置され、その後接触端子と相手側接触端子との接続が行われることとなる。従って、接触端子同士を対向する位置に配置する作業が容易となり、本体モジュールと機能パネルとが電気的に良好に接続された情報装置を実現することが可能となる。
【００２１】
請求項７の発明は、請求項1の発明において、複数種類の前記本体モジュールから選択した１つの前記本体モジュールに複数種類の前記機能パネルから選択した１つの前記機能パネルを取り付けることにより構成される情報装置において、情報装置として使用することができる前記本体モジュールと前記機能パネルとの組み合わせにおいては、前記位置決め突起は前記接触端子と前記相手側接触端子を対向させたときに前記前記嵌合孔と対向する位置に設けられ、情報装置として使用することができない前記本体モジュールと前記機能パネルとの組み合わせにおいては、前記位置決め突起は前記接触端子と前記相手側接触端子を対向させたときに前記嵌合孔と対向しない位置に設けられることを特徴とする。
【００２２】
この構成によれば、複数種類の本体モジュールから選択した１つの本体モジュールに、複数種類の機能パネルから選択した１つの機能パネルを取り付けた構成の情報装置において、情報装置として使用することができる本体モジュールと機能パネルとの組み合わせの場合は、位置決め突起と嵌合孔との嵌合後、接触端子同士が対向する配置となり、情報装置として使用することができない本体モジュールと機能パネルとの組み合わせの場合は、接触端子同士が対向する配置での位置決め突起と嵌合孔との嵌合を行うことができない。
【００２３】
従って、情報装置として使用することができる本体モジュールと機能パネルとの組み合わせの場合は、接触端子同士を対向する位置に配置する作業が容易で本体モジュールと機能パネルとが電気的に良好に接続された情報装置を実現でき、情報装置として使用することができない本体モジュールと機能パネルとの組み合わせの場合においては、接触端子同士の接続が行えないので組立ての作業性のよい情報装置を実現できる。
【発明の効果】
【００２４】
本発明は、本体モジュールに機能パネルを取り付ける作業において、本体モジュールの機能パネルを取り付ける面と機能パネルの本体モジュールを取り付ける面とに設けた位置決め突起と嵌合孔とを嵌合することにより、接触端子と相手側接触端子とを対向位置に配置することが可能となる。即ち、接触端子と相手側接触端子とを対向位置に配置する作業を位置決め突起と嵌合孔とを嵌合させる作業に置換することにより、接触端子と相手側接触端子とを対向位置に配置する作業を容易にし、接触端子を良好に接続させ得るという利点がある。
【発明を実施するための最良の形態】
【００２５】
以下の各実施形態では、情報装置として室内の壁に取り付けられるインターホン親機を例示する。
【００２６】
このインターホン親機は、図１４に示すように、本体モジュール、機能パネルより構成される。本体モジュールは外部から電力の供給を受ける電源回路部と、宅外の設置されるドアホン子機と通信を行う通信部を備え、前面側に機能パネルとの電気的接続を行う接触端子を有する。機能パネルは情報入力手段である入力スイッチ及びマイクロホンと、情報出力手段である表示部及びスピーカーと、本体モジュールと通信を行う機能部とを備え、後面側には本体モジュールと電気的接続を行う接触端子を有している。
【００２７】
インターホン親機とドアホン子機は通信部で通信を行い、表示部はドアホン子機で撮像された映像を表示し、はドアホン子機に入力された音声を出力し、マイクロホンはインターホン親機における音声を入力する。
【００２８】
以下の説明においては、壁面に平行かつ水平な方向を左右方向とし、床垂直な方向を上下方向とし、壁面に平行でかつ壁の手前側を前面、奥側を後面として構成を説明する。
（実施形態１）
最初に、本実施形態のインターホン親機Ａの構成についての説明を行う。
【００２９】
本実施形態のインターホン親機Ａは、図１に示すように、本体モジュールＢと、本体モジュールＢの前面側に取り付けられる機能パネルＣにより構成される。本体モジュールＢは、壁Ｗ内に固定される埋込型の配線器具用スイッチボックス（図示せず）により壁Ｗに固定される。
【００３０】
スイッチボックス（図示せず）は、前面が開口した箱状に形成されており、開口部の内側の上面及び下面には対向する各一対の器具固定用突起（図示せず）が突設されている。器具固定用突起（図示せず）にはその前端面にねじ孔（図示せず）が開口する。ねじ孔（図示せず）は本体モジュールＢをスイッチボックス（図示せず）に固定するボックスねじ（図示せず）用の孔である。
【００３１】
本体モジュールＢは、器体１により構成され、器体１は、外部電源から電力の供給を受ける電源回路部（図示せず）及びドアホン子機（図示せず）との通信を行う通信部（図示せず）を有する第一回路部（図示せず）を内部に有し、前面側における上下方向の各端縁のそれぞれから互いに離れる向きに延設され、器体１の前面より前方に突出し、かつ器体１の左右方向の略全長に渡って形成された上下一対の取付板２を有する。
【００３２】
上下２つの取付板２には、器体１をスイッチボックス（図示せず）に固定するためのボックスねじ（図示せず）を挿通する固定用孔３が各２個形成され、更に、下方の取付板２には、機能パネルＣとの係合用に、端面が上方を指向し、上方が開放され断面Ｌ字状に形成され、前面側に突出する２個の鉤片４が設けられている。
【００３３】
器体１の前面側には、機能パネルＣに電力を供給し、機能パネルＣと本体モジュールＢ間の信号の授受を行うための本体モジュール側接触端子５を前面側に露出するための本体モジュール側接触端子孔６が前面側から見て右側下部に設けられ、本体モジュール側接触端子５への電力の供給をＯＮ／ＯＦＦすることが可能な電源スイッチＳＷを前面側に露出させるための電源スイッチ用孔７が左側上部に設けられ、また、位置決め突起として、先端が前面側を指向し、形状が円錐台である円錐台突起８が本体モジュール側接触端子孔６の左上に設けられている。
【００３４】
器体１の後面には、商用電源供給用の電源線（図示せず）が接続される電源端子部２３を器体１の後面に露出させるための電源端子孔２４と信号線（図示せず）が接続される信号端子部２５を器体１の後面に露出させるための信号端子孔２６が貫設されている。
【００３５】
また、本実施形態では、器体１は１連用の取付枠（図示せず）を２個まで取り付け可能なスイッチボックス（図示せず）に対応する大きさに形成されている。ここでいう１連用の取付枠とは「ＪＩＳ  Ｃ８３７５」で規格化されている３個用の取付枠（図示せず）を意味しており、以下では、１連用の取付枠（図示せず）が左右方向に２個連接された寸法を「２連用」、３個連接された寸法を「３連用」と呼ぶ。即ち、本実施形態の本体モジュールＢは、上下方向に対向する一対の内側面にそれぞれ器具固定用突起（図示せず）が２個づつ設けられた２連用のスイッチボックス（図示せず）に取り付け可能な寸法に設定されている。
【００３６】
機能パネルＣは、図１２に示すように、後面側の筐体をなすパネルベース９と前面側の筐体をなすパネルカバー１０で構成される。
【００３７】
パネルベース９は、前面が矩形、薄箱状に形成され、下部中央には本体モジュールＢから電力の供給を受け本体モジュールＢとの情報の送受信を行うための機能パネル側接触端子１１を後面側に露出させる機能パネル側接触端子孔（図示せず）が設けられ、後面側に、嵌合孔として、器体１前面側に設けられた円錐台突起８と嵌合する円錐台形状の円錐台状孔１２が設けられ、後面側下部には各鉤片４が挿通される引掛孔（図示せず）が設けられている。
【００３８】
円錐台状孔１２は、本体モジュール側接触端子５と機能パネル側接触端子１１とを良好な接続が可能なように対向させたときに、円錐台突起８と円錐台状孔１２とが対向するように配置され、また、円錐台状孔１２の底部１２ｃがパネルカバー１０と干渉しないように、円錐台突起８の器体１前面からの高さが決められている。
【００３９】
パネルカバー１０は前面中央に開口１３が設けられ、前面下部左側には多数の小孔１４が設けられている。パネルベース９とパネルカバー１０は、パネルベース９周縁に設けられた多数の係止凹片１５とパネルカバー１０の周縁部に設けられた複数の係止凸片（図示せず）とを係合させることにより係止される。
【００４０】
パネルベース９とパネルカバー１０で構成される内部空間には、外部からの情報を入力する情報入力手段（図示せず）であるスイッチ（図示せず）及びマイクロホン（図示せず）と、外部に情報を出力する情報出力手段（図示せず）であるスピーカー１６及び表示部１７とが収納され、また、本体モジュールＢと情報の送受信を行い、操作スイッチ（図示せず）及びマイクロホン（図示せず）より入力された情報を受信し、本体モジュールＢより受けた情報をスピーカー１６及び表示部１７に送信する機能部（図示せず）と本体モジュールＢからの電力の供給をうける機能パネル側電源部（図示せず）を有する第２回路部（図示せず）が収納されている。表示部１７はパネルカバー１０に設けられた開口１４により前面側が露出し、スピーカー１６の前面側と小孔１４とは対向している。
【００４１】
機能パネルＣは、本体モジュールＢからの電力の供給及び本体モジュールＢとの情報の送受信を機能パネル側接触端子１１と本体モジュール側接触端子５との接続部により行っている。
【００４２】
次にインターホン親機Ａを壁Ｗに取り付ける手順について説明を行う。
【００４３】
まず、本体モジュールＢを壁Ｗに取り付ける作業を行う。本体モジュールＢの壁Ｗへの取り付けは、本体モジュールＢの電源端子部２３に商業用電源と接続された電源線（図示せず）を挿入接続し、信号端子部２５にドアホン子機（図示せず）と接続された信号線（図示せず）を挿入接続した後、器体１の後部をスイッチボックス（図示せず）の前面側の開口部に収納し、ボックスねじ（図示せず）を器体１の取付板２に設けられた固定用孔３に前方より挿通し、スイッチボックス（図示せず）の器具固定用突起（図示せず）の前端面に設けられたねじ孔（図示せず）にねじ止めすることにより行う。これにより、本体モジュールＢと商業用電源（図示せず）及びドアホン子機（図示せず）とが接続された上で、本体モジュールＢが壁Ｗに固定される。
【００４４】
次に、機能パネルＣを本体モジュールＢに取り付け、同時に機能パネルＣと本体モジュールＢとを電気的に接続する手順について説明する。
【００４５】
機能パネルＣを上部が前面側に倒れた状態、即ち機能パネルＣを傾斜させた状態で、本体モジュールＢの下方の取付板２に設けられた各鉤片４を機能パネルＣ下部に設けられた各引掛孔（図示せず）に挿通し、機能パネルＣと本体モジュールＢとの下部の結合を行う。機能パネルＣを傾斜させた状態で上述の作業を行うのは、機能パネルＣの後面となっている機能パネルと本体モジュールとの結合箇所の目視を容易にし、また、機能パネルＣと壁との接触による双方の破損を防止し、上述の作業を安全に行うためである。
【００４６】
機能パネルＣと本体モジュールＢの下部の結合後、傾斜させて保持していた機能パネルＣを、引掛孔（図示せず）と鉤片４との結合箇所を支点として後方に回転させ、機能パネルの傾斜を緩め、機能パネルＣを本体モジュールＢに密着させていく。密着に従い、機能パネルＣ後面が本体モジュールＢ前面に接近することとなり、最初に本体モジュールＢ前面に設けられた円錐台突起８の前端部が機能パネルＣ後面に設けられた円錐台状孔１２の円形開口部１２ａに進入し、円錐台突起８と円錐台状孔１２が嵌合する。更に密着を続けると、本体モジュール側前面に設けられた本体モジュール側接触端子孔６から前面側に突出する本体モジュール側接触端子５と機能パネルＣ後面に設けられた機能パネル側接触端子孔（図示せず）から後面側に突出する機能パネル側接触端子１１とが接近し、両接触端子が接続する。機能パネル側接触端子１１と本体モジュール側接触端子５との接続により、機能パネルＣと本体モジュールＢとの電気的接続が可能な状態となり、本体モジュールＢから機能パネルＣへの電力供給及び機能パネルＣと本体モジュールＢ間の通信が可能な状態となる。しかしながら、この時点ではまだ、本体モジュールＢから機能パネルＣへの電力供給は行われていない。本体モジュールＢから機能パネルＣへ電力供給が開始される手順について説明する。上述の機能パネル側接触端子１１と本体モジュール側接触端子５との接続後、更に機能パネルＣを本体モジュールＢに密着させ、完全に密着すると、機能パネルＣ後面が、本体モジュール前面左側上部に設けられた電源スイッチ用孔７から前面側に突出する電源スイッチＳＷのスイッチ部（図示せず）を押圧することとなる。電源スイッチＳＷのスイッチ部（図示せず）が押圧されたことにより電源スイッチＳＷがＯＦＦ状態からＯＮ状態へと移行し、本体モジュール側接触端子５に電力が供給され、機能パネルＣに電力が供給されることとなる。これにより、本体モジュールＢと機能パネルＣとの電気的接続が終了し、更に本体モジュールＢ下部の鉤片４と引掛孔（図示せず）との結合及び両接触端子の接続により本体モジュールＢに機能パネルＣを取り付ける作業が完了し、インターホン親機Ａの壁への取り付ける作業が完了する。
【００４７】
ところで、上述のインターホン親機Ａを壁Ｗに取り付ける手順における機能パネルＣと本体モジュールＢとを密着させる作業においては、円錐台突起８と円錐台状孔１２とが対向位置にあることを前提に説明を行ったが、円錐台突起８と円錐台状孔１２とが対向位置にない場合についての説明を以下に行う。
【００４８】
図１３に示すように、円錐台突起８と円錐台状孔１２とが対向位置にある場合は、上述のように本体モジュール側接触端子５と機能パネル側接触端子１１は良好に接続する。
【００４９】
円錐台突起８と円錐台状孔１２とが対向位置にない場合は、円錐台突起８の前端部は機能パネルＣ後面と干渉することとなる。円錐台突起８と円錐台状孔１２とが対向位置にないということは、機能パネル側接触端子１１と本体モジュール側接触端子５とが良好に接続しないということを意味するので、この場合、両接触端子が接続されない又は干渉しないことが必要である。円錐台突起８の前端部と機能パネルＣ後面とが干渉した場合、それ以上機能パネルＣを本体モジュールＢに接近させることができなくなる。従って、機能パネル側接触端子１１と本体モジュール側接触端子５とが干渉したり又は電気的接続不良の可能性を有する接続を行うということが防止されることとなる。
【００５０】
円錐台突起８と円錐台状孔１２とが正確な対向位置にないが、対向位置に近接している場合は、円錐台突起８と円錐台状孔１２との嵌合は行われる。この場合の嵌合の手順を説明する。円錐台突起８が円錐台状孔１２の対向位置から外れている場合であっても、円錐台突起８の前端部が円錐台状孔１２の円形開口部１２ａ内に位置すれば、円錐台突起８の前端部は円錐台状孔１２内に進入し、円錐台状孔１２の内壁面１２ｂと干渉する。円錐台突起８の前端部と円錐台状孔１２の内壁面１２ｂとの干渉により、機能パネルＣと本体モジュールＢとはその相対位置を変えることとなる。この相対位置の変化は、円錐台突起８の前端部が円錐台状孔１２の内壁面１２ｂを滑動し、円錐台突起８の回転対称軸が円錐台状孔１２の回転対称軸と略一致するように行われる。円錐台突起８と円錐台状孔１２との回転対称軸の略一致は、本体モジュール側接触端子５に対する機能パネル側接触端子１１の位置が本体モジュール側接触端子５と対向する位置に配置されたことを意味し、本体モジュール側接触端子５と機能パネル側接触端子１１とが良好に接続されることを意味している。
【００５１】
従って、円錐台突起８と円錐台状孔１２が嵌合した場合は、機能パネル側接触端子１１と本体モジュール側接触端子５とは良好に接続され、円錐台突起８と円錐台状孔１２とが嵌合しない場合は、機能パネル側接触端子１１と本体モジュール側接触端子５とは接触しないこととなり、作業者は容易に両接触端子が良好な接続を行う対向位置に配置されているか否かを知ることができる。また、逆に、円錐台突起８と円錐台状孔１２を嵌合させることにより、両接触端子が良好な接続を行う対向位置にあることを容易に知ることができる。
【００５２】
次に、円錐台突起８及び円錐台状孔１２の形状、設置箇所についての説明を行う。
【００５３】
円錐台突起８が円錐の形状で形成されているのは、上述のように機能パネルＣと本体モジュールＢとの相対位置を矯正するためと、その矯正が上下左右方向のいずれに対しても行い得ることとするためである。円錐は回転対称な立体であるため、回転軸に対して方向性がなく、機能パネルＣと本体モジュールＢとが上下左右いずれの方向に位置ずれしていたとしても、円錐形状の突起であれば、方向の別なくその矯正が可能である。また、前端部が平面の円錐台の形状となっているのは、突起の前端部による機能パネル各部損傷を回避するためである。
【００５４】
円錐台突起８と本体モジュール側接触端子５の位置関係と円錐台突起８の器体１前面からの高さについては、以下のように設定されている。
【００５５】
機能パネルＣを本体モジュールＢに密着させていく作業においては、上述のように、最初に円錐台突起８と円錐台状孔１２との嵌合が行われ、次に本体モジュール側接触端子５と機能パネル側接触端子１１との接続が行われることが必要であるので、円錐台突起８の器体１前面からの高さと、円錐台突起８の本体モジュール側接触端子５に対する設置位置は、本体モジュール側接触端子５と機能パネル側接触端子１１とが接続する前に、円錐台突起８と円錐台状孔１２とが嵌合するように設定されている。
【００５６】
また、円錐台突起８の側面の傾斜角度、即ち円錐台突起８と器体１前面との接合部位の円形の外形線から前端部へと向かう側面と円錐台突起８の回転対称軸とがなす角度は、本体モジュール側接触端子５と機能パネル側接触端子１１との接続が開始される前に本体モジュール側接触端子５と機能パネル側接触端子１１とが良好な接続をなすような対向位置に配置されるように設定されている。傾斜角度が小さい場合は、本体モジュール側接触端子５と機能パネル側接触端子１１との接続が開始されるまでに機能パネルと本体モジュールとの相対位置を矯正できる距離は小さくなり、傾斜角度が大きい場合は矯正できる距離は大きくなるので、円錐台突起８の前端部が円錐台状孔の円形開口部１２ａに進入したときに両接触端子間の前後方向の距離が小さい場合、傾斜角度は大きくしなければならない。
【００５７】
なお、本実施形態においては、図１、図２に示すように、器体１前面側に円錐台突起８を、機能パネルＣ後面に円錐台状孔１２を設ける構成としているが、図５、図６に示すように、機能パネルＣ後面に円錐台突起８を、器体１前面側に円錐台状孔１２を設ける構成としてもよい。この場合、器体１前面側に設ける円錐台状孔１２が、器体１内部に収納される第一回路（図示せず）と干渉しないように機能パネルＣ後面に設ける円錐台状孔１２の位置及び孔の深さが設定される。
（実施形態２）
本実施形態のインターホン親機Ａは、図３、図４に示すように、器体１前面側に円錐台突起８を２個、機能パネルＣ後面に円錐台状孔１２を２個設ける構成としている点が、実施形態１の情報装置と相違する。
【００５８】
器体１前面側には、本体モジュール側接触端子孔６左上に円錐台突起８が、右下には第二円錐台突起８が設けられ、機能パネルＣ後面には、円錐台突起８と嵌合する円錐台状孔１２と第二円錐台突起８と嵌合する第二円錐台状孔１２が設けられている。
【００５９】
本実施形態における円錐台突起８と第二円錐台突起８の形状は同一であるが、実施形態１において述べた円錐台突起８の形状についての形状条件を満たす限りにおいて、円錐台突起８と第二円錐台突起８の形状とを異なるものとすることが可能である。
【００６０】
第二円錐台突起８は、円錐台突起８よりも下方に設置されているので、実施形態１において述べた円錐台突起８の形状についての形状条件に加え、円錐台突起８器体１前面からの高さに制限が設けられている。具体的に説明すると、実施形態１において述べたように、機能パネルＣ下部と本体モジュールＢ下部とを結合するために、機能パネルＣ下部に設けられた引掛孔（図示せず）に本体モジュールＢの器体１の取付板２に設けられた鉤片４を挿通するが、その際に、第二円錐台突起８が機能パネルＣ後面と干渉していないことが必要である。第二円錐台突起８が機能パネルＣ後面と干渉する場合、鉤片４を引掛孔（図示せず）に挿通する作業に支障を生じるからである。従って、第二円錐台突起８の突起部分の高さは、機能パネルＣを傾斜させて、機能パネルＣ下部の引掛孔（図示せず）に本体モジュールＢの器体１の取付板２の鉤片４を挿通した場合において、第二円錐台突起８が機能パネルＣ後面と干渉しない高さに制限されている。
【００６１】
なお、本実施形態においては、器体１前面側に円錐台突起８を２個、機能パネルＣ後面に円錐台状孔１２を２個設ける構成としているが、図７、図８に示すように、機能パネルＣ後面に円錐台突起８を２個、器体１前面側に円錐台状孔１２を２個設ける構成としてもよく、また、設置する円錐台突起８及び円錐台状孔１２は３個以上としてもよく、更に、器体１前面側に円錐台突起８、第二円錐台状孔１２を各１個、機能パネルＣ後面に円錐台状孔１２、第二円錐台突起８を各１個設ける構成としてもよい。この場合、器体１前面側に設ける円錐台状孔１２が、器体１内部に収納される第一回路（図示せず）と干渉しないように機能パネルＣ後面に設ける８の位置が設定され、かつ円錐台突起８の形状は、実施形態１及び本実施形態において述べた形状条件に制限される。
（実施形態３）
本実施形態の第二インターホン親機Ｄは、図９に示すように、実施形態１のインターホン親機Ａの本体モジュールＢと接続して使用することができない機能パネルＥ及びインターホン親機Ａの機能パネルＣと接続して使用することができない本体モジュールＦからなる。即ち、インターホン親機Ａと第二インターホン親機Ｄとを構成する機能パネル及び本体モジュールは互いに互換性がなく、インターホン親機Ａと第二インターホン親機Ｄとは互いに独立した情報装置を構成している。
【００６２】
本体モジュールＦの器体１の前面側には、本体モジュール側接触端子孔６の右下に第三円錐台突起８が設けられ、機能パネルＥの後面には第三円錐台突起８と嵌合する第三円錐台状孔１２が設けられている。円錐台突起８と第三円錐台突起８とは同一形状で、円錐台状孔１２と第三円錐台状孔１２も同一形状である。
【００６３】
本体モジュールＦに設けられた第三円錐台突起８と機能パネルＣの円錐台状孔１２が嵌合した場合、本体モジュールＦに設けられた第二本体モジュール側接触端子２２と機能パネルＣに設けられた機能パネル側接触端子１１とは対向位置になく、両接触端子の接続は不可であり、本体モジュールＢに設けられた円錐台突起８と機能パネルＥの第三円錐台状孔１２が嵌合した場合、本体モジュールＢに設けられた本体モジュール側接触端子５と機能パネルＥに設けられた第二機能パネル側接触端子１１とは対向位置になく、両接触端子の接続は不可である。従って、本体モジュールＢと機能パネルＦとが接続されて、使用ができない情報装置を構成し、又は、本体モジュールＥと機能パネルＣとが接続されて、使用ができない情報装置を構成することを防止することが可能である。
【００６４】
情報装置Ｄのその他の構成は、実施形態１のインターホン親機Ａと同一である。
【００６５】
なお、上述した各実施形態では、本体モジュール側接触端子５と機能パネル側接触端子１１との接続により行われる電気的接続は、本体モジュールＢから機能パネルＤに電力を供給するための電気的接続と機能パネルＤと本体モジュールＢ間の情報の送受信を行う電気的接続の両方である例を示したが、この構成に限るものではなく、少なくともその一方であればよい。
【００６６】
また、上述の各実施形態では、インターホン親機Ａを施工面に取り付けるために、スイッチボックス（図示せず）を用いる例を示したが、この構成に限るものではなく、スイッチボックス（図示せず）以外の施工用部材（例えば埋込型の配線器具用の取り付け時に用いられる挟み金具）を用いてインターホン親機Ａを施工面に取り付ける構成にしてもよく、また、図１０及び図１１に示すように、本体モジュールＢ又は補助金具Ｃを直接壁Ｗに固定する構成にしてもよい。
【００６７】
更に、本発明の情報装置の一例として、インターホン親機Ａを例示したが、これに制限されることはなく、太陽光発電装置の電力モニタ、ホームオートメーションを管理するビュワーといった情報装置などでもよい。
【図面の簡単な説明】
【００６８】
【図１】本発明の実施形態１の情報装置の分解斜視図である。
【図２】本発明の実施形態１の情報装置の垂直断面図である。
【図３】本発明の実施形態２の情報装置の分解斜視図である。
【図４】本発明の実施形態２の情報装置の垂直断面図である。
【図５】本発明の実施形態１の情報装置の分解斜視図である。
【図６】本発明の実施形態１の情報装置の垂直断面図である。
【図７】本発明の実施形態２の情報装置の分解斜視図である。
【図８】本発明の実施形態２の情報装置の垂直断面図である。
【図９】本発明の実施形態３の情報装置の分解斜視図である。
【図１０】本発明の実施形態１の情報装置の分解斜視図である。
【図１１】本発明の実施形態１の情報装置の分解斜視図である。
【図１２】本発明の実施形態１のパネルベースの斜視図である。
【図１３】本発明の実施形態１の平面図である。
【図１４】従来例の情報装置の平面図である。
【符号の説明】
【００６９】
１  器体
２  取付板
３  固定用孔
４  鉤片
５  本体モジュール側接触端子
６  本体モジュール側接触端子用孔
７  電源スイッチ用孔
８  円錐台突起
９  パネルベース
１０  パネルカバー
１１  機能パネル側接触端子
１２  円錐台状孔
１２ａ  円形開口部
１２ｂ  内壁面
１２ｃ  底部
１３  開口
１４  小孔
１５  係止凹片
１６  スピーカー
１７  表示部
８  第二円錐台突起
１２  第二円錐台状孔
８  第三円錐台突起
１２  第三円錐台状孔
２２  第二本体モジュール側接触端子
２３  電源端子部
２４  電源端子孔
２５  信号端子部
２６  信号端子孔
Ａ  インターホン親機
Ｂ  本体モジュール
Ｃ  機能パネル
Ｄ  第二インターホン親機
Ｅ  第二本体モジュール
Ｆ  第二機能パネル
ＳＷ  電源スイッチ
Ｗ  壁
【図１】
0004835563.tif 000002
【図２】
0004835563.tif 000003
【図３】
0004835563.tif 000004
【図４】
0004835563.tif 000005
【図５】
0004835563.tif 000006
【図６】
0004835563.tif 000007
【図７】
0004835563.tif 000008
【図８】
0004835563.tif 000009
【図９】
0004835563.tif 000010
【図１０】
0004835563.tif 000011
【図１１】
0004835563.tif 000012
【図１２】
0004835563.tif 000013
【図１３】
0004835563.tif 000014
【図１４】
0004835563.tif 000015